(57)【特許請求の範囲】
【請求項１】
抵抗器が並べられた抵抗器群が、複数段並べられた抵抗ユニットと、
本体部と、前記複数の抵抗器群について、負荷試験に用いる抵抗器群を制御するために用いられるスイッチング部と、前記スイッチング部の一方の端子や前記負荷試験の試験対象電源からの電源線の１つが接続される第１ブスバーとを有する接続切り替え部とを備え、
前記抵抗器群における抵抗器の一つの端子の一方が、前記スイッチング部の他方の端子と接続され、
前記本体部は、前記スイッチング部が取り付けられる第１面と、前記第１面と垂直で碍子を介して一定間隔を空けて前記第１ブスバーが取り付けられる第２面とを有し、
前記スイッチング部とケーブル接続される抵抗器の端子と、前記第１ブスバーとの間に、前記スイッチング部が配置されるように、前記接続切り替え部は、着脱可能な状態で前記抵抗ユニットに取り付けられることを特徴とする負荷試験機。
【請求項２】
前記本体部は、前記抵抗ユニットの背面と平行な面を有する中間部と、前記抵抗ユニットの側面と平行な面を有する第１側面部と第２側面部とを有し、
前記中間部が前記第１面を形成し、
前記第１側面部が前記第２面を形成し、
前記中間部と前記第１側面部と前記第２側面部が、コの字もしくはＣ字の断面形状を形成することを特徴とする請求項１に記載の負荷試験機。
【請求項３】
ｙ方向に延びる碍子が、前記中間部に取り付けられ、
前記ｙ方向に延びる碍子に、取り付け金具が取り付けられ、
前記ｙ方向に延びる碍子と、前記取り付け金具とを介して、前記本体部が前記抵抗ユニットに取り付けられることを特徴とする請求項２に記載の負荷試験機。
【請求項４】
前記スイッチング部と、前記スイッチング部と前記抵抗器とを接続するケーブルや、前記スイッチング部と前記第１ブスバーとを接続するケーブルは、前記中間部と前記第１側面部と前記第２側面部で囲まれた領域の外側に設けられ、
前記スイッチング部の制御信号線は、前記中間部と前記第１側面部と前記第２側面部で囲まれた領域を通って、前記スイッチング部を制御する制御装置に接続されることを特徴とする請求項２に記載の負荷試験機。
【請求項５】
前記制御信号線は、コネクターを介して着脱可能な状態で、前記スイッチング部と接続されることを特徴とする請求項４に記載の負荷試験機。
【請求項６】
前記スイッチング部は、前記スイッチング部のケースの内部から延び、前記一方の端子として、固定接点の一方と前記第１ブスバーとを接続する第１ケーブルと、前記他方の端子として、前記固定接点の他方と前記抵抗器と接続する第２ケーブルとを有し、
前記ケースの内部における前記固定接点と可動接点を含む領域は、内部ケースで覆われ、
前記内部ケースの内側は不活性ガスが充填され、
前記ケースと前記内部ケースの間であって、少なくとも前記第１ケーブルと前記第２ケーブルの間を含む領域は、絶縁物質が充填されることを特徴とする請求項１に記載の負荷試験機。
【請求項７】
前記抵抗器群は、ｙ方向に延びる抵抗器が、前記ｙ方向に垂直なｘ方向に複数本並べられ直列接続されたものであることを特徴とする請求項１に記載の負荷試験機。
【請求項８】
抵抗器が並べられた抵抗器群が、複数段並べられた第１抵抗ユニットと、
前記第１抵抗ユニットと別体で構成され、前記抵抗器群が複数段並べられた第２抵抗ユニットと、
前記第１抵抗ユニットの抵抗器群と、前記第２抵抗ユニットの抵抗器群とを接続する接続部材と、
本体部と、前記複数の抵抗器群について、負荷試験に用いる抵抗器群を制御するために用いられるスイッチング部と、前記スイッチング部の一方の端子や前記負荷試験の試験対象電源からの電源線の１つが接続される第１ブスバーとを有する接続切り替え部とを備え、
前記第１抵抗ユニットの抵抗器群における抵抗器の一つの端子の一方が、前記スイッチング部の他方の端子と接続され、
前記本体部は、前記スイッチング部が取り付けられる第１面と、前記第１面と垂直で碍子を介して一定間隔を空けて前記第１ブスバーが取り付けられる第２面とを有し、
前記スイッチング部とケーブル接続される抵抗器の端子と、前記第１ブスバーとの間に、前記スイッチング部が配置されるように、前記接続切り替え部は、着脱可能な状態で前記第１抵抗ユニットに取り付けられることを特徴とする負荷試験機。
【請求項９】
抵抗器が並べられた抵抗器群が、複数段並べられた抵抗ユニットに取り付けられる負荷試験機の接続切り替え部であって、
本体部と、
前記複数の抵抗器群について、負荷試験に用いる抵抗器群を制御するために用いられるスイッチング部と、
前記スイッチング部の一方の端子や前記負荷試験の試験対象電源からの電源線の１つが接続される第１ブスバーとを備えるものであり、
前記抵抗器群における抵抗器の一つの端子の一方が、前記スイッチング部の他方の端子と接続され、
前記本体部は、前記スイッチング部が取り付けられる第１面と、前記第１面と垂直で碍子を介して一定間隔を空けて前記第１ブスバーが取り付けられる第２面とを有し、
前記スイッチング部とケーブル接続される抵抗器の端子と、前記第１ブスバーとの間に、前記スイッチング部が配置されるように、前記接続切り替え部は、着脱可能な状態で前記抵抗ユニットに取り付けられることを特徴とする負荷試験機の接続切り替え部。
【請求項１０】
抵抗器が並べられた抵抗器群が、複数並べられた抵抗ユニットと、
本体部と、前記複数の抵抗器群について、負荷試験に用いる抵抗器群を制御するために用いられるスイッチング部と、前記スイッチング部の一方の端子や前記負荷試験の試験対象電源からの電源線の１つが接続される第１ブスバーとを有する接続切り替え部とを備え、
前記抵抗器群における抵抗器の一つの端子の一方が、前記スイッチング部の他方の端子と接続され、
前記本体部は、前記スイッチング部が取り付けられる第１面と、前記第１面と垂直で碍子を介して一定間隔を空けて前記第１ブスバーが取り付けられる第２面とを有し、
前記スイッチング部とケーブル接続される抵抗器の端子と、前記第１ブスバーとの間に、前記スイッチング部が配置されるように、前記接続切り替え部は、着脱可能な状態で前記抵抗ユニットに取り付けられることを特徴とする負荷試験機。
【請求項１１】
抵抗器が並べられた抵抗器群が、複数並べられた第１抵抗ユニットと、
前記第１抵抗ユニットと別体で構成され、前記抵抗器群が複数並べられた第２抵抗ユニットと、
前記第１抵抗ユニットの抵抗器群と、前記第２抵抗ユニットの抵抗器群とを接続する接続部材と、
本体部と、前記複数の抵抗器群について、負荷試験に用いる抵抗器群を制御するために用いられるスイッチング部と、前記スイッチング部の一方の端子や前記負荷試験の試験対象電源からの電源線の１つが接続される第１ブスバーとを有する接続切り替え部とを備え、
前記第１抵抗ユニットの抵抗器群における抵抗器の一つの端子の一方が、前記スイッチング部の他方の端子と接続され、
前記本体部は、前記スイッチング部が取り付けられる第１面と、前記第１面と垂直で碍子を介して一定間隔を空けて前記第１ブスバーが取り付けられる第２面とを有し、
前記スイッチング部とケーブル接続される抵抗器の端子と、前記第１ブスバーとの間に、前記スイッチング部が配置されるように、前記接続切り替え部は、着脱可能な状態で前記第１抵抗ユニットに取り付けられることを特徴とする負荷試験機。
【請求項１２】
抵抗器が並べられた抵抗器群が、複数並べられた抵抗ユニットに取り付けられる負荷試験機の接続切り替え部であって、
本体部と、
前記複数の抵抗器群について、負荷試験に用いる抵抗器群を制御するために用いられるスイッチング部と、
前記スイッチング部の一方の端子や前記負荷試験の試験対象電源からの電源線の１つが接続される第１ブスバーとを備えるものであり、
前記抵抗器群における抵抗器の一つの端子の一方が、前記スイッチング部の他方の端子と接続され、
前記本体部は、前記スイッチング部が取り付けられる第１面と、前記第１面と垂直で碍子を介して一定間隔を空けて前記第１ブスバーが取り付けられる第２面とを有し、
前記スイッチング部とケーブル接続される抵抗器の端子と、前記第１ブスバーとの間に、前記スイッチング部が配置されるように、前記接続切り替え部は、着脱可能な状態で前記抵抗ユニットに取り付けられることを特徴とする負荷試験機の接続切り替え部。
【発明の詳細な説明】
【技術分野】
【０００１】
本発明は、交流発電機などの電源に対する電気負荷試験に用いられる負荷試験機などに関する。
【背景技術】
【０００２】
複数の抵抗器が並べられた抵抗ユニットを使った乾式負荷試験機が提案されている。
【先行技術文献】
【特許文献】
【０００３】
【特許文献１】特開２０１０−２５７５２号公報
【発明の概要】
【発明が解決しようとする課題】
【０００４】
負荷試験機では、試験対象電源からの電源線や、電力供給する抵抗器群（若しくは抵抗器）を制御する制御信号線を配線する必要がある。【０００５】
したがって本発明の目的は、複数の抵抗器が並べられた負荷試験機で、効率良く内部の配線が可能な負荷試験機、及び負荷試験機の接続切り替え部を提供することである。
【課題を解決するための手段】
【０００６】
本発明に係る負荷試験機は、抵抗器が並べられた抵抗器群が、複数段並べられた抵抗ユニットと、本体部と、複数の抵抗器群について、負荷試験に用いる抵抗器群を制御するために用いられるスイッチング部と、スイッチング部の一方の端子や負荷試験の試験対象電源からの電源線の１つが接続される第１ブスバーとを有する接続切り替え部とを備え、抵抗器群における抵抗器の一つの端子の一方が、スイッチング部の他方の端子と接続され、本体部は、スイッチング部が取り付けられる第１面と、第１面と垂直で碍子を介して一定間隔を空けて第１ブスバーが取り付けられる第２面とを有し、スイッチング部とケーブル接続される抵抗器の端子と、第１ブスバーとの間に、スイッチング部が配置されるように、接続切り替え部は、着脱可能な状態で抵抗ユニットに取り付けられる。【０００７】
第１ブスバーやスイッチング部を含む接続切り替え部を使って、効率よく負荷試験機を構成する部材の配線を行うことが可能になる。
特に、抵抗器の端子と第１ブスバーの間にスイッチング部が配置されるため、短い接続部材（ケーブルなど）を使って、抵抗器とスイッチング部、スイッチング部と第１ブスバーとの接続を行うことが可能になる。【０００８】
好ましくは、本体部は、抵抗ユニットの背面と平行な面を有する中間部と、抵抗ユニットの側面と平行な面を有する第１側面部と第２側面部とを有し、中間部が第１面を形成し、第１側面部が第２面を形成し、中間部と第１側面部と第２側面部が、コの字もしくはＣ字の断面形状を形成する。【０００９】
本体部の中間部は、本体部の第１側面部と抵抗ユニットの側面との間に位置し、当該中間部にスイッチング部が取り付けられるため、スイッチング部の交換や修理などのメンテナンスを行う空間を確保しやすい。【００１０】
さらに好ましくは、ｙ方向に延びる碍子が、中間部に取り付けられ、ｙ方向に延びる碍子に、取り付け金具が取り付けられ、ｙ方向に延びる碍子と、取り付け金具とを介して、本体部が抵抗ユニットに取り付けられる。【００１１】
また、好ましくは、スイッチング部と、スイッチング部と抵抗器とを接続するケーブルや、スイッチング部と第１ブスバーとを接続するケーブルは、中間部と第１側面部と第２側面部で囲まれた領域の外側に設けられ、スイッチング部の制御信号線は、中間部と第１側面部と第２側面部で囲まれた領域を通って、スイッチング部を制御する制御装置に接続される。【００１２】
さらに好ましくは、制御信号線は、コネクターを介して着脱可能な状態で、スイッチング部と接続される。【００１３】
また、好ましくは、スイッチング部は、スイッチング部のケースの内部から延び、一方の端子として、固定接点の一方と第１ブスバーとを接続する第１ケーブルと、他方の端子として、固定接点の他方と抵抗器と接続する第２ケーブルとを有し、ケースの内部における固定接点と可動接点を含む領域は、内部ケースで覆われ、内部ケースの内側は不活性ガスが充填され、ケースと内部ケースの間であって、少なくとも第１ケーブルと第２ケーブルの間を含む領域は、絶縁物質が充填される。【００１４】
また、好ましくは、抵抗器群は、ｙ方向に延びる抵抗器が、ｙ方向に垂直なｘ方向に複数本並べられ直列接続されたものである。【００１５】
本発明に係る負荷試験機は、抵抗器が並べられた抵抗器群が、複数段並べられた第１抵抗ユニットと、第１抵抗ユニットと別体で構成され、抵抗器群が複数段並べられた第２抵抗ユニットと、第１抵抗ユニットの抵抗器群と、第２抵抗ユニットの抵抗器群とを接続する接続部材と、本体部と、複数の抵抗器群について、負荷試験に用いる抵抗器群を制御するために用いられるスイッチング部と、スイッチング部の一方の端子や負荷試験の試験対象電源からの電源線の１つが接続される第１ブスバーとを有する接続切り替え部とを備え、第１抵抗ユニットの抵抗器群における抵抗器の一つの端子の一方が、スイッチング部の他方の端子と接続され、本体部は、スイッチング部が取り付けられる第１面と、第１面と垂直で碍子を介して一定間隔を空けて第１ブスバーが取り付けられる第２面とを有し、スイッチング部とケーブル接続される抵抗器の端子と、第１ブスバーとの間に、スイッチング部が配置されるように、接続切り替え部は、着脱可能な状態で第１抵抗ユニットに取り付けられる。【００１６】
本発明に係る負荷試験機の接続切り替え部は、抵抗器が並べられた抵抗器群が、複数段並べられた抵抗ユニットに取り付けられる負荷試験機の接続切り替え部であって、本体部と、複数の抵抗器群について、負荷試験に用いる抵抗器群を制御するために用いられるスイッチング部と、スイッチング部の一方の端子や負荷試験の試験対象電源からの電源線の１つが接続される第１ブスバーとを備えるものであり、抵抗器群における抵抗器の一つの端子の一方が、スイッチング部の他方の端子と接続され、本体部は、スイッチング部が取り付けられる第１面と、第１面と垂直で碍子を介して一定間隔を空けて第１ブスバーが取り付けられる第２面とを有し、スイッチング部とケーブル接続される抵抗器の端子と、第１ブスバーとの間に、スイッチング部が配置されるように、接続切り替え部は、着脱可能な状態で抵抗ユニットに取り付けられる。【００１７】
本発明に係る負荷試験機は、抵抗器が並べられた抵抗器群が、複数並べられた抵抗ユニットと、本体部と、複数の抵抗器群について、負荷試験に用いる抵抗器群を制御するために用いられるスイッチング部と、スイッチング部の一方の端子や負荷試験の試験対象電源からの電源線の１つが接続される第１ブスバーとを有する接続切り替え部とを備え、抵抗器群における抵抗器の一つの端子の一方が、スイッチング部の他方の端子と接続され、本体部は、スイッチング部が取り付けられる第１面と、第１面と垂直で碍子を介して一定間隔を空けて第１ブスバーが取り付けられる第２面とを有し、スイッチング部とケーブル接続される抵抗器の端子と、第１ブスバーとの間に、スイッチング部が配置されるように、接続切り替え部は、着脱可能な状態で抵抗ユニットに取り付けられる。【００１８】
本発明に係る負荷試験機は、抵抗器が並べられた抵抗器群が、複数並べられた第１抵抗ユニットと、第１抵抗ユニットと別体で構成され、抵抗器群が複数並べられた第２抵抗ユニットと、第１抵抗ユニットの抵抗器群と、第２抵抗ユニットの抵抗器群とを接続する接続部材と、本体部と、複数の抵抗器群について、負荷試験に用いる抵抗器群を制御するために用いられるスイッチング部と、スイッチング部の一方の端子や負荷試験の試験対象電源からの電源線の１つが接続される第１ブスバーとを有する接続切り替え部とを備え、第１抵抗ユニットの抵抗器群における抵抗器の一つの端子の一方が、スイッチング部の他方の端子と接続され、本体部は、スイッチング部が取り付けられる第１面と、第１面と垂直で碍子を介して一定間隔を空けて第１ブスバーが取り付けられる第２面とを有し、スイッチング部とケーブル接続される抵抗器の端子と、第１ブスバーとの間に、スイッチング部が配置されるように、接続切り替え部は、着脱可能な状態で第１抵抗ユニットに取り付けられる。【００１９】
本発明に係る負荷試験機の接続切り替え部は、抵抗器が並べられた抵抗器群が、複数並べられた抵抗ユニットに取り付けられる負荷試験機の接続切り替え部であって、本体部と、複数の抵抗器群について、負荷試験に用いる抵抗器群を制御するために用いられるスイッチング部と、スイッチング部の一方の端子や負荷試験の試験対象電源からの電源線の１つが接続される第１ブスバーとを備えるものであり、抵抗器群における抵抗器の一つの端子の一方が、スイッチング部の他方の端子と接続され、本体部は、スイッチング部が取り付けられる第１面と、第１面と垂直で碍子を介して一定間隔を空けて第１ブスバーが取り付けられる第２面とを有し、スイッチング部とケーブル接続される抵抗器の端子と、第１ブスバーとの間に、スイッチング部が配置されるように、接続切り替え部は、着脱可能な状態で抵抗ユニットに取り付けられる。
【発明の効果】
【００２０】
以上のように本発明によれば、複数の抵抗器が並べられた負荷試験機で、効率良く内部の配線が可能な負荷試験機、及び負荷試験機の接続切り替え部を提供することができる。
【図面の簡単な説明】
【００２１】
【図１】本実施形態における乾式負荷試験機であって、各土台部を隣接させる前の状態における上面図である。
【図２】本実施形態における乾式負荷試験機であって、各土台部を隣接させた後の状態における上面図である。
【図３】第１抵抗ユニット〜第６抵抗ユニット、第１土台部〜第６土台部、碍子、第１冷却ファン〜第６冷却ファンの構成を示す斜視図である。
【図４】第１抵抗ユニットと第２抵抗ユニットと碍子と第１土台部と第２土台部の構成を示す斜視図である。
【図５】第１抵抗ユニットと第２抵抗ユニットと碍子と第１土台部と第２土台部の構成を示す背面図である。
【図６】第１抵抗ユニットと第３抵抗ユニットと碍子と第１土台部と第３土台部の構成を示す側面図である。
【図７】本実施形態における乾式負荷試験機であって、ｘ方向に隣接する土台部が一体で構成されたものの上面図である。
【図８】図５の接続ケーブルを短絡バーに置き換えた形態における、第１抵抗ユニットと第２抵抗ユニットと碍子と第１土台部と第２土台部の構成を示す背面図である。
【図９】スイッチング部材を使った接続形態で、第１抵抗ユニットと第２抵抗ユニットと碍子と第１土台部と第２土台部の構成を示す斜視図である。
【図１０】スイッチング部材を使った接続形態で、第１抵抗ユニットと第２抵抗ユニットと碍子と第１土台部と第２土台部の構成を示す背面図である。
【図１１】スイッチング部材の斜視図である。
【図１２】スイッチング部材の断面構成図である。
【図１３】図１２とは別の構造を有するスイッチング部材の断面構成図である。
【図１４】本実施形態における乾式負荷試験機であって、各土台部を隣接させた後の状態における上面図で、電源接続部と抵抗ユニット間の配線を示すものである。
【図１５】第１抵抗ユニット〜第６抵抗ユニット、第１土台部〜第６土台部、碍子、第１冷却ファン〜第６冷却ファン、接続切り替え部の構成を示す斜視図で、接続切り替え部が第１抵抗ユニットや第３抵抗ユニットや第５抵抗ユニットに取り付けられた状態を示すものである。
【図１６】第１抵抗ユニットと第２抵抗ユニットと碍子と第１土台部と第２土台部の構成を示す斜視図で、接続切り替え部が第１抵抗ユニットの側部に取り付けられた状態を示すものである。
【図１７】接続切り替え部の斜視図である。
【図１８】負荷試験機の回路構成を示す模式図である。
【図１９】第１抵抗ユニットと第２抵抗ユニットと碍子と第１土台部と第２土台部の構成を示す斜視図で、接続切り替え部が第１抵抗ユニットの後部に取り付けられた状態を示すものである。
【図２０】第１抵抗ユニットと第２抵抗ユニットと碍子と第１土台部と第２土台部の構成を示す斜視図で、中間部が抵抗ユニットの側面に平行な状態で、接続切り替え部が第１抵抗ユニットに取り付けられた状態を示すものである。
【図２１】第１抵抗ユニットと第２抵抗ユニットと碍子と第１土台部と第２土台部の構成を示す斜視図で、第２側面部に設けられｘ方向に延びる碍子を使って、接続切り替え部が第１抵抗ユニットに取り付けられた状態を示すものである。
【図２２】第２コネクターを使って制御信号線が接続された接続切り替え部の斜視図である。
【図２３】同じ段の抵抗器群に対応するスイッチング部の制御信号線を短絡して制御装置と接続させた形態における電源接続部と抵抗ユニット間の配線を示す上面図である。
【図２４】同じ段の抵抗器群に対応するスイッチング部の制御信号線を短絡して制御装置と接続させた形態における第１抵抗ユニット〜第６抵抗ユニット、第１土台部〜第６土台部、碍子、第１冷却ファン〜第６冷却ファン、接続切り替え部の構成を示す斜視図である。
【図２５】抵抗器群が水平方向に並べられた抵抗ユニットの横に冷却ファンを配置した形態で、第１抵抗ユニットと第２抵抗ユニットと碍子と第１土台部と第２土台部の構成を示す斜視図である。
【図２６】図２５にダクトを配置した状態を示す斜視図である。
【図２７】抵抗器群が鉛直方向に並べられた抵抗ユニットの横に冷却ファンを配置した形態で、第１抵抗ユニットと第２抵抗ユニットと碍子と第１土台部と第２土台部の構成を示す斜視図である。
【発明を実施するための形態】
【００２２】
以下、本実施形態について、図を用いて説明する。本実施形態における乾式負荷試験機１は、第１土台部１１〜第６土台部１６、間隔調整部材２０、第１抵抗ユニット２１〜第６抵抗ユニット２６、第１冷却ファン３１〜第６冷却ファン３６、電源接続部４０、碍子５０、接続ケーブル６０を備える（図１〜図１３）。
【００２３】
まず、各部の構造に関する説明を行い、電源接続部４０と各抵抗ユニット間の配線に関する説明は、各部の構造に関する説明の後に行う（図１４〜図２４参照）。このため、図１〜図１３では、接続切り替え部７０など、配線に関する部材を省略している。
【００２４】
第１土台部１１は、略直方体形状の外形を有し、第１土台部１１内の上部に第１冷却ファン３１が設けられ、第１土台部１１内の下部の側面や底面には、第１冷却ファン３１の吸気口が設けられ、上面には第１冷却ファン３１の排気口が設けられる。第１土台部１１の上部には、第１抵抗ユニット２１が、碍子５０を介して固定される。
【００２５】
第２土台部１２は、略直方体形状の外形を有し、第２土台部１２内の上部に第２冷却ファン３２が設けられ、第２土台部１２内の下部の側面や底面には、第２冷却ファン３２の吸気口が設けられ、上面には第２冷却ファン３２の排気口が設けられる。第２土台部１２の上部には、第２抵抗ユニット２２が、碍子５０を介して固定される。
【００２６】
第３土台部１３は、略直方体形状の外形を有し、第３土台部１３内の上部に第３冷却ファン３３が設けられ、第３土台部１３内の下部の側面や底面には、第３冷却ファン３３の吸気口が設けられ、上面には第３冷却ファン３３の排気口が設けられる。第３土台部１３の上部には、第３抵抗ユニット２３が、碍子５０を介して固定される。
【００２７】
第４土台部１４は、略直方体形状の外形を有し、第４土台部１４内の上部に第４冷却ファン３４が設けられ、第４土台部１４内の下部の側面や底面には、第４冷却ファン３４の吸気口が設けられ、上面には第４冷却ファン３４の排気口が設けられる。第４土台部１４の上部には、第４抵抗ユニット２４が、碍子５０を介して固定される。
【００２８】
第５土台部１５は、略直方体形状の外形を有し、第５土台部１５内の上部に第５冷却ファン３５が設けられ、第５土台部１５内の下部の側面や底面には、第５冷却ファン３５の吸気口が設けられ、上面には第５冷却ファン３５の排気口が設けられる。第５土台部１５の上部には、第５抵抗ユニット２５が、碍子５０を介して固定される。
【００２９】
第６土台部１６は、略直方体形状の外形を有し、第６土台部１６内の上部に第６冷却ファン３６が設けられ、第６土台部１６内の下部の側面や底面には、第６冷却ファン３６の吸気口が設けられ、上面には第６冷却ファン３６の排気口が設けられる。第６土台部１６の上部には、第６抵抗ユニット２６が、碍子５０を介して固定される。
【００３０】
なお、碍子５０と各土台部の間に、ベース板や防振絶縁ゴムなど（不図示）が設けられる形態であってもよい。
【００３１】
図１〜図２４までで示す実施形態では、第１土台部１１と第２土台部１２が並べられる水平方向をｘ方向、第１土台部１１、第３土台部１３、第５土台部１５が並べられる水平方向をｙ方向、ｙ方向とｘ方向に垂直な鉛直方向をｚ方向として説明する。
【００３２】
また、第１抵抗ユニット２１や第２抵抗ユニット２２がある側を前方とし、電源接続部４０がある側を後方として説明する。例えば、第１抵抗ユニット２１の第１枠２１ａの背面は、第３抵抗ユニット２３の第３枠２３ａの前面と対向し、第１抵抗ユニット２１の第１枠２１ａの側面の一方は、第２抵抗ユニット２２の第２枠２２ａの側面の他方と対向する。
【００３３】
第１土台部１１と第２土台部１２は、ｘ方向に隙間を設けずに隣接した状態で設置される。
第３土台部１３と第４土台部１４は、ｘ方向に隙間を設けずに隣接した状態で設置される。
第５土台部１５と第６土台部１６は、ｘ方向に隙間を設けずに隣接した状態で設置される。
【００３４】
第１土台部１１と第３土台部１３と第５土台部１５は、間隔調整部材２０を間に挟んで、ｙ方向に並べられた状態で設置される。
第２土台部１２と第４土台部１４と第６土台部１６は、間隔調整部材２０を間に挟んで、ｙ方向に並べられた状態で設置される。
【００３５】
間隔調整部材２０は、ｙ方向の幅がｗ１の略直方体形状を有し、土台部の間に配置して、土台部間に幅ｗ１以上の離隔を設けるために使用される。間隔調整部材２０の幅ｗ１は、後述する第２距離ｄ２よりも長い（例えば、５１０ｍｍ）。
【００３６】
なお、第１土台部１１と第２土台部１２の間、第３土台部１３と第５土台部の間、第５土台部１５と第６土台部１６の間にも、間隔調整部材２０を挟むなどして、間隔を空けて各土台部を設置する形態であってもよい。この場合は、第１土台部１１と第２土台部１２の間、第３土台部１３と第５土台部の間、第５土台部１５と第６土台部１６の間に、ケーブルなどの配線スペースを設けることが容易になる。
【００３７】
第１抵抗ユニット２１〜第６抵抗ユニット２６のそれぞれは、ｙ方向に平行な棒状の抵抗器Ｒがｘ方向に所定の間隔を空けて複数本並べられ直列接続された抵抗器群が、ｚ方向に複数段並べ並列接続され、絶縁素材で構成され当該抵抗器群の側面を覆う枠（第１枠２１ａ〜第６枠２６ａ）を含むもので、使用する抵抗器群の切り替えを行って、発電機などの試験対象電源の負荷の条件を変えて、試験対象電源の負荷試験を行うために用いられる。
【００３８】
図１〜図２４までで示す実施形態では、第１抵抗ユニット２１〜第６抵抗ユニット２６のそれぞれは、ｙ方向に平行な棒状の抵抗器Ｒがｘ方向に所定の間隔を空けて８本並べられ、短絡バーなどを使って、直列接続された抵抗器群が、ｚ方向に８段並べ並列接続されたもので説明するが、各抵抗器群に並べられる抵抗器Ｒの本数や、抵抗器群が積み重ねられる段数は、これに限るものではない。
【００３９】
第１抵抗ユニット２１が、上段から第１１抵抗器群Ｒ１１〜第１８抵抗器群Ｒ１８を有し、第２抵抗ユニット２２が、上段から第２１抵抗器群Ｒ２１〜第２８抵抗器群Ｒ２８を有し、第３抵抗ユニット２３が、上段から第３１抵抗器群Ｒ３１〜第３８抵抗器群Ｒ３８を有し、第４抵抗ユニット２４が、上段から第４１抵抗器群Ｒ４１〜第４８抵抗器群Ｒ４８を有し、第５抵抗ユニット２５が、上段から第５１抵抗器群Ｒ５１〜第５８抵抗器群Ｒ５８を有し、第６抵抗ユニット２６が、上段から第６１抵抗器群Ｒ６１〜第６８抵抗器群Ｒ６８を有するものとする。
【００４０】
抵抗器群のそれぞれは、下部に設けられた冷却ファンからの冷風を上部に流すために、上面と下面が開口し、隣り合う抵抗ユニットとの絶縁性を高めるために、絶縁素材で出来た枠（第１枠２１ａ〜第６枠２６ａ）で側面が覆われ、各抵抗器Ｒの両端子は当該枠の前面部分や背面部分によって保持される。
【００４１】
第１抵抗ユニット２１の抵抗器群（第１１抵抗器群Ｒ１１〜第１８抵抗器群Ｒ１８）の側面を覆う第１枠２１ａのうち、少なくとも他の抵抗ユニット（第２抵抗ユニット２２や第３抵抗ユニット２３）と対向する位置関係にあるものが、上から見て（水平方向に）第１距離ｄ１（４５ｍｍ以上）だけ、第１土台部１１の側面よりも内側に配置されるように、第１土台部１１と第１抵抗ユニット２１の寸法や位置関係が決定される。
【００４２】
第２抵抗ユニット２２の抵抗器群（第２１抵抗器群Ｒ２１〜第２８抵抗器群Ｒ２８）の側面を覆う第２枠２２ａのうち、少なくとも他の抵抗ユニット（第１抵抗ユニット２１や第４抵抗ユニット２４）と対向する位置関係にあるものが、上から見て（水平方向に）第１距離ｄ１だけ、第２土台部１２の側面よりも内側に配置されるように、第２土台部１２と第２抵抗ユニット２２の寸法や位置関係が決定される。
【００４３】
第３抵抗ユニット２３の抵抗器群（第３１抵抗器群Ｒ３１〜第３８抵抗器群Ｒ３８）の側面を覆う第３枠２３ａのうち、少なくとも他の抵抗ユニット（第１抵抗ユニット２１や第４抵抗ユニット２４や第５抵抗ユニット２５）と対向する位置関係にあるものが、上から見て（水平方向に）第１距離ｄ１だけ、第３土台部１３の側面よりも内側に配置されるように、第３土台部１３と第３抵抗ユニット２３の寸法や位置関係が決定される。
【００４４】
第４抵抗ユニット２４の抵抗器群（第４１抵抗器群Ｒ４１〜第４８抵抗器群Ｒ４８）の側面を覆う第４枠２４ａのうち、少なくとも他の抵抗ユニット（第２抵抗ユニット２２や第３抵抗ユニット２３や第６抵抗ユニット２６）と対向する位置関係にあるものが、上から見て（水平方向に）第１距離ｄ１だけ、第４土台部１４の側面よりも内側に配置されるように、第４土台部１４と第４抵抗ユニット２４の寸法や位置関係が決定される。
【００４５】
第５抵抗ユニット２５の抵抗器群（第５１抵抗器群Ｒ５１〜第５８抵抗器群Ｒ５８）の側面を覆う第５枠２５ａのうち、少なくとも他の抵抗ユニット（第３抵抗ユニット２３や第６抵抗ユニット２６）と対向する位置関係にあるものが、上から見て（水平方向に）第１距離ｄ１だけ、第５土台部１５の側面よりも内側に配置されるように、第５土台部１５と第５抵抗ユニット２５の寸法や位置関係が決定される。
【００４６】
第６抵抗ユニット２６の抵抗器群（第６１抵抗器群Ｒ６１〜第６８抵抗器群Ｒ６８）の側面を覆う第６枠２６ａのうち、少なくとも他の抵抗ユニット（第４抵抗ユニット２４や第５抵抗ユニット２５）と対向する位置関係にあるものが、上から見て（水平方向に）第１距離ｄ１だけ、第６土台部１６の側面よりも内側に配置されるように、第６土台部１６と第６抵抗ユニット２６の寸法や位置関係が決定される。
【００４７】
第１抵抗ユニット２１〜第６抵抗ユニット２６の抵抗器Ｒの端子は、それぞれの抵抗ユニットの抵抗器群の側面を覆う枠（第１枠２１ａ〜第６枠２６ａ）からｙ方向に突出するが、その突出量は、第１距離ｄ１よりも短くなるように、第１抵抗ユニット２１〜第６抵抗ユニットの寸法が決定される。
【００４８】
なお、第１枠２１ａ〜第６枠２６ａにおいて、他の抵抗ユニットと対向しない位置関係にあるものについても、上から見て第１距離ｄ１だけ、第１土台部１１〜第６土台部１６それぞれの側面よりも内側に配置される形態であってもよい。この場合は、抵抗ユニットや土台部の材料を共通化出来、第１土台部１１〜第６土台部１６の場所を入れ替えて設置することも可能になる。
【００４９】
第１抵抗ユニット２１と第３抵抗ユニット２３と第５抵抗ユニット２５における抵抗器群を構成し直列に接続された抵抗器Ｒの端子の少なくとも一方（後述する接続ケーブル６０と接続されない側）は、後述する接続切り替え部７０を介して、電源接続部４０と接続される。
第２抵抗ユニット２２と第４抵抗ユニット２４と第６抵抗ユニット２６における抵抗器群を構成し直列に接続された抵抗器Ｒの端子の少なくとも一方（後述する接続ケーブル６０と接続されない側）は、中性点接続のために、互いに接続される。
【００５０】
冷却ファンによる冷却を効率良く行うために、抵抗器群を構成する抵抗器Ｒと当該抵抗器Ｒとｘ方向に隣り合う抵抗器Ｒの中間の位置に、ｚ方向に隣り合う抵抗器群の抵抗器Ｒが配置されるように、各抵抗器群の抵抗器Ｒが配列される。図１や図２では最上段の抵抗器Ｒを図示し、２段目以下の抵抗器Ｒの図示を省略している。
【００５１】
第１抵抗ユニット２１、第３抵抗ユニット２３、第５抵抗ユニット２５は、第３距離ｄ３以上間隔を空けて、ｙ方向に並べられ、第２抵抗ユニット２２、第４抵抗ユニット２４、第６抵抗ユニット２６は、第３距離ｄ３以上間隔を空けて、ｙ方向に並べられる。第３距離ｄ３は、ｙ方向に隣り合う抵抗ユニット（例えば、第１抵抗ユニット２１と第３抵抗ユニット２３）が離隔によって絶縁が出来る程度の長さよりも長く、また、土台部の間（若しくは抵抗ユニットの間）に作業者が入って配線など作業が可能な程度の長さ（例えば、抵抗ユニット間が第３距離ｄ３：６００ｍｍ、土台部間が幅ｗ１：５１０ｍｍ）を有する。
【００５２】
第１抵抗ユニット２１と第２抵抗ユニット２２は、第２距離ｄ２以上間隔を空けて、ｘ方向に並べられ、第３抵抗ユニット２３と第４抵抗ユニット２４は、第２距離ｄ２以上間隔を空けて、ｘ方向に並べられ、第５抵抗ユニット２５と第６抵抗ユニット２６は、第２距離ｄ２以上間隔を空けて、ｘ方向に並べられる。第２距離ｄ２は、ｘ方向に隣り合う抵抗ユニット（例えば、第１抵抗ユニット２１と第２抵抗ユニット２２）が離隔によって絶縁が出来る程度の長さ（例えば、９０ｍｍ）を有する。
【００５３】
第２距離ｄ２は、第１距離ｄ１の２倍と等しく、第３距離ｄ３は、第１距離ｄ１の２倍と間隔調整部材２０の幅ｗ１の和と等しい（ｄ２＝ｄ１×２、ｄ３＝ｄ１×２＋ｗ１）。
【００５４】
第１土台部１１と第２土台部１２とをｘ方向に隙間無く隣接させた場合でも、第１抵抗ユニット２１と第２抵抗ユニット２２は、少なくとも第２距離ｄ２（第１距離ｄ１の２倍の９０ｍｍ以上）離れた位置関係になり、第１抵抗ユニット２１や第２抵抗ユニット２２のそれぞれに６６００Ｖの高電圧を印加しても、第１抵抗ユニット２１と第２抵抗ユニット２２の間の絶縁を維持することが出来る。
【００５５】
第３土台部１３と第４土台部１４とをｘ方向に隙間無く隣接させた場合でも、第３抵抗ユニット２３と第４抵抗ユニット２４は、少なくとも第２距離ｄ２（第１距離ｄ１の２倍の９０ｍｍ以上）離れた位置関係になり、第３抵抗ユニット２３や第４抵抗ユニット２４のそれぞれに６６００Ｖの高電圧を印加しても、第３抵抗ユニット２３と第４抵抗ユニット２４の間の絶縁を維持することが出来る。
【００５６】
第５土台部１５と第６土台部１６とをｘ方向に隙間無く隣接させた場合でも、第５抵抗ユニット２５と第６抵抗ユニット２６は、少なくとも第２距離ｄ２（第１距離ｄ１の２倍の９０ｍｍ以上）離れた位置関係になり、第５抵抗ユニット２５や第６抵抗ユニット２６のそれぞれに６６００Ｖの高電圧を印加しても、第５抵抗ユニット２５と第６抵抗ユニット２６の間の絶縁を維持することが出来る。
【００５７】
第１土台部１１と第３土台部１３とを間隔調整部材２０を介してｙ方向に隙間無く並べた場合でも、第１抵抗ユニット２１と第３抵抗ユニット２３は、少なくとも第３距離ｄ３（第１距離ｄ１の２倍と、間隔調整部材２０の幅ｗ１の和の６００ｍｍ以上）離れた位置関係になり、第１抵抗ユニット２１や第３抵抗ユニット２３のそれぞれに６６００Ｖの高電圧を印加しても、第１抵抗ユニット２１と第３抵抗ユニット２３の間の絶縁を維持することが出来る。
【００５８】
なお、抵抗器Ｒの端子は、第１抵抗ユニット２１や第３抵抗ユニット２３の抵抗器群の側面を覆う枠（第１枠２１ａや第３枠２３ａ）からｙ方向に突出しているため、端子の先端同士の距離は、第３距離ｄ３よりも短くなるが、第２距離ｄ２よりも長い幅ｗ１を有する間隔調整部材２０が間に設けられているため、端子の先端同士の距離は、第２距離ｄ２よりも長くなり、離隔による絶縁は維持出来る。
【００５９】
第３土台部１３と第５土台部１５とを間隔調整部材２０を介してｙ方向に隙間無く並べた場合でも、第３抵抗ユニット２３と第５抵抗ユニット２５は、少なくとも第３距離ｄ３（第１距離ｄ１の２倍と、間隔調整部材２０の幅ｗ１の和の６００ｍｍ以上）離れた位置関係になり、第３抵抗ユニット２３や第５抵抗ユニット２５のそれぞれに６６００Ｖの高電圧を印加しても、第３抵抗ユニット２３と第５抵抗ユニット２５の間の絶縁を維持することが出来る。
【００６０】
なお、抵抗器Ｒの端子は、第３抵抗ユニット２３や第５抵抗ユニット２５の抵抗器群の側面を覆う枠（第３枠２３ａや第５枠２５ａ）からｙ方向に突出しているため、端子の先端同士の距離は、第３距離ｄ３よりも短くなるが、第２距離ｄ２よりも長い幅ｗ１を有する間隔調整部材２０が間に設けられているため、端子の先端同士の距離は、第２距離ｄ２よりも長くなり、離隔による絶縁は維持出来る。
【００６１】
第２土台部１２と第４土台部１４とを間隔調整部材２０を介してｙ方向に隙間無く並べた場合でも、第２抵抗ユニット２２と第４抵抗ユニット２４は、少なくとも第３距離ｄ３（第１距離ｄ１の２倍と、間隔調整部材２０の幅ｗ１の和の６００ｍｍ以上）離れた位置関係になり、第２抵抗ユニット２２や第４抵抗ユニット２４のそれぞれに６６００Ｖの高電圧を印加しても、第２抵抗ユニット２２と第４抵抗ユニット２４の間の絶縁を維持することが出来る。
【００６２】
なお、抵抗器Ｒの端子は、第２抵抗ユニット２２や第４抵抗ユニット２４の抵抗器群の側面を覆う枠（第２枠２２ａや第４枠２４ａ）からｙ方向に突出しているため、端子の先端同士の距離は、第３距離ｄ３よりも短くなるが、第２距離ｄ２よりも長い幅ｗ１を有する間隔調整部材２０が間に設けられているため、端子の先端同士の距離は、第２距離ｄ２よりも長くなり、離隔による絶縁は維持出来る。
【００６３】
第４土台部１４と第６土台部１６とを間隔調整部材２０を介してｙ方向に隙間無く並べた場合でも、第４抵抗ユニット２４と第６抵抗ユニット２６は、少なくとも第３距離ｄ３（第１距離ｄ１の２倍と、間隔調整部材２０の幅ｗ１の和の６００ｍｍ以上）離れた位置関係になり、第４抵抗ユニット２４や第６抵抗ユニット２６のそれぞれに６６００Ｖの高電圧を印加しても、第４抵抗ユニット２４と第６抵抗ユニット２６の間の絶縁を維持することが出来る。
【００６４】
なお、抵抗器Ｒの端子は、第４抵抗ユニット２４や第６抵抗ユニット２６の抵抗器群の側面を覆う枠（第４枠２４ａや第６枠２６ａ）からｙ方向に突出しているため、端子の先端同士の距離は、第３距離ｄ３よりも短くなるが、第２距離ｄ２よりも長い幅ｗ１を有する間隔調整部材２０が間に設けられているため、端子の先端同士の距離は、第２距離ｄ２よりも長くなり、離隔による絶縁は維持出来る。
【００６５】
第１抵抗ユニット２１と第２抵抗ユニット２２は、Ｒ相の負荷試験に用いられ、第３抵抗ユニット２３と第４抵抗ユニット２４は、Ｓ相の負荷試験に用いられ、第５抵抗ユニット２５と第６抵抗ユニット２６は、Ｔ相の負荷試験に用いられる。
【００６６】
第１冷却ファン３１〜第６冷却ファン３６と、第１抵抗ユニット２１〜第６抵抗ユニット２６の間には、第１冷却ファン３１〜第６冷却ファン３６からの冷却風を、第１抵抗ユニット２１〜第６抵抗ユニット２６に導く筒状のフード（第１フード３１ａ〜第６フード３６ａ）が設けられる（図１、図２の点線表示参照）。当該筒状のフードの上部は、最下段の抵抗器群の側面を覆う枠（第１枠２１ａ〜第６枠２６ａ）の内側に位置し、当該枠から１０ｍｍ以上離隔されるのが望ましい。フードも枠も絶縁素材で構成されるが、離隔を設けることで、間に埃などが蓄積せずに絶縁を保つことが可能になる。
【００６７】
第１抵抗ユニット２１〜第６抵抗ユニット２６のそれぞれは、抵抗ユニット間を直列に接続しない状態で、電源負荷試験を行う際の、試験対象電源の定格電圧に対応した仕様（抵抗器Ｒの数や抵抗値など）を有する。
【００６８】
例えば、第１抵抗ユニット２１〜第６抵抗ユニット２６のそれぞれは、第１抵抗ユニット２１〜第６抵抗ユニット２６のうち、３つの抵抗ユニットを用いて、三相交流電源の負荷試験を行う際の、試験対象電源の定格電圧に対応した仕様（抵抗器Ｒの数や抵抗値など）を有する。
【００６９】
第１冷却ファン３１〜第６冷却ファン３６のそれぞれは、電源負荷試験時に、第１抵抗ユニット２１〜第６抵抗ユニット２６のそれぞれを冷却するための仕様（ファンの冷却能力など）を有する。
【００７０】
電源接続部４０は、真空遮断器（ＶＣＢ:Vacuum Circuit Breaker）４１、操作部（不図示）、ＣＰＵなどの制御装置４３を有する。試験対象電源との接続は、真空遮断器４１を介して行われる。
操作部は、試験対象電源と接続する抵抗器群の数を選択して、負荷を変えたり、負荷試験機１の電源オンオフ操作や第１冷却ファン３１〜第６冷却ファン３６のオンオフ操作を行ったりするために使用される。
操作部における負荷に関する操作状態に応じて、制御装置４３が、後述する接続切り替え部７０のスイッチング装置（第１スイッチング部ＳＷ１〜第８スイッチング部ＳＷ８）のオンオフ制御を行い、これにより、使用する抵抗器群の切り替えが行われる。
【００７１】
碍子５０は、高い電圧が印加される第１抵抗ユニット２１〜第６抵抗ユニット２６と、周辺機器（第１土台部１１〜第６土台部１６や第１冷却ファン３１〜第６冷却ファン３６など）との間の絶縁のために用いられる。
また、碍子５０は、後述する接続切り替え部７０における本体部７１と第１ブスバー７３との間の絶縁や、本体部７１と抵抗ユニットの間の絶縁のために用いられる。
【００７２】
また、ｘ方向に隣り合う抵抗ユニット間の絶縁などの目的で、第１抵抗ユニット２１と第２抵抗ユニット２２との間、第３抵抗ユニット２３と第４抵抗ユニット２４との間、および第５抵抗ユニット２５と第６抵抗ユニット２６との間にも、碍子５０が設けられるのが望ましい（図２、図５参照）。
【００７３】
碍子５０は、ｘ方向に第２距離ｄ２の間隔を空けて隣り合う２つの抵抗ユニット（第１抵抗ユニット２１と第２抵抗ユニット２２、第３抵抗ユニット２３と第４抵抗ユニット２４、第５抵抗ユニット２５と第６抵抗ユニット２６）の抵抗器群を直列接続した抵抗ユニット群を用いて、電源負荷試験を行う際の、試験対象電源の定格電圧に対応した仕様（大きさなど）を有する。特に、抵抗ユニットの下部に設けられる碍子５０のｚ方向の寸法は、第２距離ｄ２以上の長さを有する。
【００７４】
例えば、碍子５０は、ｘ方向に第２距離ｄ２の間隔を空けて隣り合う２つの抵抗ユニット（第１抵抗ユニット２１と第２抵抗ユニット２２、第３抵抗ユニット２３と第４抵抗ユニット２４、第５抵抗ユニット２５と第６抵抗ユニット２６）の抵抗器群を直列接続した抵抗ユニット群×３セットを用いて、三相交流電源の負荷試験を行う際の、試験対象電源の定格電圧に対応した仕様（大きさなど）を有する。
【００７５】
すなわち、碍子５０は、第１抵抗ユニット２１〜第６抵抗ユニット２６や、第１冷却ファン３１〜第６冷却ファン３６のそれぞれの仕様が対応する試験対象電源の２倍の定格電圧に対応した仕様を有する。
【００７６】
例えば、第１抵抗ユニット２１〜第６抵抗ユニット２６のそれぞれが６６００Ｖの三相交流電源に対応した仕様を有する場合には、１３２００Ｖの三相交流電源に対応した仕様を有する碍子５０が用いられる。この場合、碍子５０は、６６００Ｖの三相交流電源に対応した仕様のものに比べて高さが数センチ長いものが使用されることになる。
【００７７】
接続ケーブル６０は、ｘ方向に第２距離ｄ２の間隔を空けて隣り合う２つの抵抗ユニットの抵抗器群であってｘ方向に隣り合う抵抗器群同士（の抵抗器Ｒ）を２カ所以上で着脱可能な状態で直列に接続するために用いられるケーブルである。
【００７８】
接続ケーブル６０は、抵抗ユニットにおける抵抗器群の段数の３倍（本実施形態では８段×３＝２４本）用意され、接続ケーブル６０のそれぞれは、抵抗器群を構成する抵抗器Ｒのうち接続相手の抵抗ユニットに近いものの一方の端子と、当該端子とｘ方向で隣り合う接続相手の抵抗ユニットの抵抗器群を構成する抵抗器Ｒのうち当該端子に近いものの端子とを接続する。
【００７９】
本実施形態では、抵抗器群の各段で接続ケーブル６０を用いて接続が行われる形態を説明するが、各段で接続が行われるものに限らず、複数の抵抗器群の少なくとも２カ所以上で、接続ケーブル６０を用いて接続が行われてもよい。１箇所（一つの抵抗器Ｒの一方の端子）だけの接続で、２つの抵抗ユニットを直列に接続する形態に比べて、負荷試験時における抵抗器群の切り替え制御を簡易にすることが出来る。ただし、接続箇所が多い方が、切り替え制御が容易になる。
【００８０】
接続ケーブル６０の両端子には、リングターミナル（図３や図４では黒丸で表示）が設けられ、当該リングターミナルを抵抗器Ｒの端子に掛け止めした上でネジ止め（若しくはボルト止め）することにより、着脱可能な状態で抵抗器Ｒと接続ケーブル６０を接続することが可能になる。
【００８１】
接続ケーブル６０を使って当該２つの抵抗ユニットの抵抗器群であってｘ方向に隣り合うもの同士が直列に接続される。
【００８２】
この場合、１つの抵抗ユニット群で、１つの抵抗ユニットの２倍の抵抗値が得られることになり、１つの抵抗ユニットで行える負荷試験の試験対象電源の電圧の２倍の電源の負荷試験を１つの抵抗ユニット群で行うことが可能になる。
【００８３】
例えば、第１抵抗ユニット２１〜第６抵抗ユニット２６のそれぞれが、６６００Ｖの三相交流電源に対応した仕様を有する場合には、３つの抵抗ユニット群にすることで、１３２００Ｖの三相交流電源の負荷試験を行うことが可能になる。
【００８４】
１つの抵抗ユニット群に印加される電圧は、１つの抵抗ユニットに印加される電圧の２倍になるが、碍子５０は、１つの抵抗ユニット群に印加される電圧を考慮した仕様のものが使われるため、当該２倍の電圧が印加されても離隔が十分にされていて第１土台部１１〜第６土台部１６や第１冷却ファン３１〜第６冷却ファン３６など抵抗ユニットの周辺機器との絶縁や抵抗ユニット間の絶縁は維持出来る。
【００８５】
接続ケーブル６０は、抵抗器群のそれぞれに接続されるため、１箇所（一つの抵抗器Ｒの一方の端子）だけの接続で、２つの抵抗ユニットを接続する形態に比べて、負荷試験時における抵抗器群の切り替え制御を簡易にすることが出来る。
【００８６】
第１抵抗ユニット２１〜第６抵抗ユニット２６や、第１冷却ファン３１〜第６冷却ファン３６は、１つの抵抗ユニットで行える負荷試験の試験対象電源の電圧を考慮したもので良い。このため、抵抗器Ｒの数や長さを増やして、１つの抵抗ユニットで、１つの抵抗ユニット群と同等の仕様を得る形態に比べて、既成品を使って簡易に実現出来る。
【００８７】
また、接続ケーブル６０は、簡単に抵抗器Ｒから外して、第１抵抗ユニット２１、第３抵抗ユニット２３、第５抵抗ユニット２５だけ（若しくは、第２抵抗ユニット２２、第４抵抗ユニット２４、第６抵抗ユニット２６だけ）を使用して、接続ケーブル６０を使った場合の負荷試験に比べて低圧の電源を対象とした負荷試験を行うことが可能になる。
【００８８】
第２距離ｄ２以上の離隔を設けることにより、かかる離隔を設けない形態に比べて、ｘ方向に並べられた抵抗ユニット間の絶縁性が高くなる。第３距離ｄ３以上の離隔を設けることにより、かかる離隔を設けない形態に比べて、ｙ方向に並べられた抵抗ユニット間の絶縁性が高くなり、且つ、抵抗ユニット間に作業者が入って、配線などの作業（特に接続ケーブル６０の着脱）を容易に行えるメリットもある。
【００８９】
各抵抗ユニットの抵抗器Ｒは、ｙ方向に延びるように配置されているため、端子は枠からｙ方向に突出する（枠のｙ方向に垂直な面から突出する）。従って、各抵抗ユニットの枠におけるｘ方向に垂直な面には端子が設けられず、ｘ方向に対向する抵抗ユニットの間に作業者が入る機会は少ない。このため、ｘ方向に対向する抵抗ユニットの間隔は、最低限絶縁のために抵抗ユニット間に離隔距離（第２距離ｄ２）が設けられていればよい。ただし、上述したように、ケーブルなどの配線スペースを設けるために、抵抗ユニット間が第２距離ｄ２よりも長く離れるように土台部を配置する形態であってもよい。
【００９０】
第１土台部１１〜第６土台部１６は、別体で構成されるため、土台部に抵抗ユニットや冷却ファンが取り付けられ、且つ、他の土台部と連結しない状態で、各土台部を運搬することが可能になる。このため、１つの土台部と抵抗ユニットの全体寸法（幅、高さ、奥行き）が、それぞれエレベータなどの昇降機の出入口幅や高さや奥行きを下回るものであれば、当該昇降機を使って、１つの土台部と抵抗ユニットと冷却ファンのセットを運搬することが可能になる。
【００９１】
他の土台部との位置関係を考慮した設置や抵抗ユニット間のケーブル接続や、電源接続部４０と第１抵抗ユニット２１などの他の機器との接続など、後述する第１工程〜第８工程は、搬入後に行う必要があるが、抵抗ユニットや冷却ファンを土台部に固定することや抵抗ユニット内部の配線に比べて容易な作業であり、負荷試験機１を設置する場所で容易に行うことができる。
【００９２】
また、それぞれの抵抗ユニットの枠は、土台部よりも内側に配置されるため、土台部同士が接触するように設置しても、抵抗ユニット同士は接触せず、第２距離ｄ２以上の間隔が保たれる。このため、各土台部が別体構成でも、抵抗ユニット間の絶縁を維持した状態で容易に設置することが可能になる。
【００９３】
特に、本件発明では、第２距離ｄ２が９０ｍｍ以上に出来るため、隣り合う２つの抵抗ユニットのそれぞれに６６００Ｖの電圧が印加された場合でも、当該両抵抗ユニット間の絶縁を維持することが出来る。
【００９４】
昇降機が、同時に２つの土台部を運び入れることが可能な大きさを有する場合、すなわち、土台部と抵抗ユニットと冷却ファンのセット２組をｘ方向に隣接させた場合の全体寸法（幅、高さ、奥行き）が、それぞれ昇降機の出入り口幅や高さや奥行きを下回る場合には、ｘ方向に隣接させる２つの土台部（例えば、第１土台部１１と第２土台部１２）を連結させ、当該土台部上に取り付けられた抵抗ユニット間の接続ケーブル６０を使った接続を行った状態で、昇降機に運び入れることも出来る。
【００９５】
この場合は、第１土台部１１と第２土台部１２、第３土台部１３と第４土台部１４、第５土台部１５と第６土台部１６は、一体で構成される形態であってもよい（図７参照）。図７は、第７土台部１７が、第１土台部１１と第２土台部１２を含む一体的な土台部で、第８土台部１８が、第３土台部１３と第４土台部１４を含む一体的な土台部で、第９土台部１９が、第５土台部１５と第６土台部１６を含む一体的な土台部である例を示す。
【００９６】
本実施形態では、抵抗器群内の抵抗器Ｒが直列に接続される形態を説明したが、抵抗器Ｒの端子と他の抵抗器Ｒの端子との接続方法を変えることで、一部又は全部を並列に接続することも可能である。このため、短絡バーを使ったり、スイッチング部材を介したりして、抵抗器群内の抵抗器Ｒの接続方法を直列と並列とで切り替える形態であってもよい。この場合、抵抗器群内の並列に接続する箇所を多くすることで、低圧の三相交流電源の負荷試験に対応することが可能になる。
【００９７】
また、抵抗ユニットの抵抗器群と他の抵抗ユニットの抵抗器群との接続を、接続ケーブル６０を使った形態を説明したが、抵抗器群間の接続部材はケーブルに限らない。例えば、抵抗器Ｒの端子間を接続する短絡バーと同様に、短絡バー６１を使って、抵抗器群と他の抵抗器群とを接続させる形態であってもよい（図８参照）。
【００９８】
また、本実施形態では、接続ケーブル６０又は短絡バー６１と、抵抗器Ｒとの接続は、直接行われる形態を説明したが、固定接点８１と可動接点８３と可動接点８３を駆動する駆動部材８５とを内蔵し、窒素などの不活性ガスが充填されたケース８７を含むスイッチング部材８０を介して行われる形態であってもよい（図９〜図１２参照）。
【００９９】
具体的には、スイッチング部材８０は、固定接点８１、可動接点８３、駆動部材８５、リード線８６、ケース８７を有し、抵抗器群のうち、接続ケーブル６０又は短絡バー６１と接続する抵抗器Ｒの端子の近傍に設置される。
【０１００】
スイッチング部材８０の固定接点８１の一方からケース８７の外部に突出する端子（第１端子８１ａ）は、抵抗器Ｒの端子と接続され、他方からケース８７の外部に突出する端子（第２端子８１ｂ）は、接続ケーブル６０又は短絡バー６１の一方と接続される。抵抗器Ｒと第１端子８１ａの接続は常時行われ、接続ケーブル６０又は短絡バー６１と第２端子８１ｂの接続は、抵抗ユニット間を接続する場合に行われる。第１端子８１ａと第２端子８１ｂの間には、接続ケーブル６０又は短絡バー６１を第２端子８１ｂに取り付ける際に、誤って第１端子８１ａと接触しないように、また、第１端子８１ａと第２端子８１ｂとの間で短絡しないように、絶縁壁８８が設けられるのが望ましい（図１１参照）。
【０１０１】
可動接点８３は、駆動部材８５によって駆動され、固定接点８１と接触するオン状態と、固定接点８１と接触しないオフ状態との切り替えが行われる。接続ケーブル６０又は短絡バー６１と、第２端子８１ｂとの接続は、オフ状態で行われる。
【０１０２】
駆動部材８５は、リード線（制御信号線）８６を介して電源接続部４０の制御装置４３と接続され、電源接続部４０の制御装置４３によって動作制御（オン状態とオフ状態の切替制御）される。
【０１０３】
ケース８７は、固定接点８１、可動接点８３、駆動部材８５を内蔵し、内部には不活性ガスが充填される。
【０１０４】
接続ケーブル６０又は短絡バー６１と、スイッチング部材８０（第２端子８１ｂ）との接続を、固定接点８１と可動接点８３とが接触しないオフ状態で行えば、抵抗ユニットのリーク電流が外部に漏れ出て、接続ケーブル６０又は短絡バー６１を保持する使用者を感電させるおそれを少なく出来る。
【０１０５】
また、ケース８７内は不活性ガスが充填されているため、固定接点８１と可動接点８３が接触していないオフ状態（やオン状態になる直前）において、固定接点８１と可動接点８３との間にスパークが生じる可能性も低い。
【０１０６】
なお、第１端子８１ａや第２端子８１ｂとして、固定接点８１からケース８７の外部に突出するケーブル（第１ケーブル８２ａ、第２ケーブル８２ｂ）を設ける形態であってもよい（図１３参照）。
【０１０７】
第１ケーブル８２ａの一方は、固定接点８１の一方に接続され、第１ケーブル８２ａの他方は、抵抗器Ｒと接続される。第２ケーブル８２ｂの一方は、固定接点８１の他方に接続され、第２ケーブル８２ｂの他方は、接続ケーブル６０又は短絡バー６１と接続される。
【０１０８】
ケース８７の内部であって、第１ケーブル８２ａにおける固定接点８１と接触する領域、第２ケーブル８２ｂにおける固定接点８１と接触する領域、及び固定接点８１や可動接点８３を含む領域は、密閉容器（内部ケース）９０で覆われ、密閉容器９０の内側は窒素などの不活性ガスが充填される。密閉容器９０とケース８７の間であって、少なくとも第１ケーブル８２ａと第２ケーブル８２ｂの間を含む領域は、第１ケーブル８２ａと第２ケーブル８２ｂとが短絡しないように、ブチルゴムなどの絶縁部材が充填される。
【０１０９】
図１３では、密閉容器９０とケース８７の間の全域について、絶縁部材が充填された形態で、絶縁部材が充填された領域を、市松模様で示す。ケース８７の底部で駆動部材８５から延びる制御端子８９には、多芯ケーブルなどで構成されたリード線（制御信号線）８６（図１３では不図示）が接続される。
【０１１０】
なお、第１ケーブル８２ａと固定接点８１の一方、第２ケーブル８２ｂと固定接点８１の他方は、図１３のように別体で構成されてもよいし、一体的に構成されて、第１ケーブル８２ａや第２ケーブル８２ｂの先端が、固定接点８１として機能し、可動接点８３と接触する形態であってもよい。
【０１１１】
次に、電源接続部４０と、各抵抗ユニット間の配線に関する説明を行う。第１抵抗ユニット２１の抵抗器群（第１１抵抗器群Ｒ１１〜第１８抵抗器群Ｒ１８）、第３抵抗ユニット２３の抵抗器群（第３１抵抗器群Ｒ３１〜第３８抵抗器群Ｒ３８）、第５抵抗ユニット２５の抵抗器群（第５１抵抗器群Ｒ５１〜第５８抵抗器群Ｒ５８）は、それぞれ、抵抗ユニットの枠（第１枠２１ａ、第３枠２３ａ、第５枠２５ａ）に取り付けられた接続切り替え部７０を介して、電源接続部４０と接続される。
【０１１２】
接続切り替え部７０は、本体部７１、第１ブスバー７３、取り付け金具７５、第２ブスバー７７、第１スイッチング部ＳＷ１〜第８スイッチング部ＳＷ８を有する。
【０１１３】
本体部７１は、断面がコの字若しくはＣ字形状で、ｚ方向に延びる。本実施形態では、断面がコの字形状を有し、抵抗ユニットの背面と平行な面を有する中間部７１ａと、当該中間部７１ａの端部から延び、抵抗ユニットの側面と平行な面を有する第１側面部７１ｂ１と第２側面部７１ｂ２で構成され、中間部７１ａと第１側面部７１ｂ１と第２側面部７１ｂ２とが当該コの字もしくはＣ字の断面形状を形成する例を示す。
【０１１４】
本体部７１が、ステンレスなど導電性の部材で構成された場合でも、負荷試験用の電流が流れる第１ブスバー７３や第１スイッチング部ＳＷ１〜第８スイッチング部ＳＷ８とは、碍子５０等を介して離隔されるので、本体部７１に負荷試験用の電流が流れることはない。なお、本体部７１がステンレスなどの導電性の部材で構成された場合には、内部の制御信号線を保護するために、第１側面部７１ｂ１などからアース線を延ばして接地を施すのが望ましい（図１７参照）。
【０１１５】
中間部７１ａ（第１面）の外側には、ｙ方向に延びる碍子５０が少なくとも２カ所設けられ、当該碍子５０の間に、筒部がｙ方向に延びる第１スイッチング部ＳＷ１〜第８スイッチング部ＳＷ８が設けられる。
中間部７１ａの内側には、第１スイッチング部ＳＷ１〜第８スイッチング部ＳＷ８の制御信号線が収納される。
【０１１６】
制御信号線などが外部から見えるように、中間部７１ａの内側と対向する部分には、ポリカーボネート等の透過材料で構成されたカバー７１ｃが設けられるのが望ましい。
カバー７１ｃと第２側面部７１ｂ２とが一体に構成されるなどして、第２側面部７１ｂ２もポリカーボネート等の透過材料で構成される形態であってもよい。この場合は、中間部７１ａと第１側面部７１ｂ１とが一体で構成される。
【０１１７】
また、本体部７１の上部は、内部に水などが侵入しないように蓋７１ｄが設けられるのが望ましい。蓋７１ｄは、図１７と図２２以外では省略している。
【０１１８】
第１側面部７１ｂ１（第２面：第１面と垂直）には、ｘ方向に延びる碍子５０が少なくとも２カ所設けられ、第２側面部７１ｂ２は、抵抗ユニット（第１抵抗ユニット２１若しくは第３抵抗ユニット２３若しくは第５抵抗ユニット２５）の側面と接触しない状態で対向する。
【０１１９】
スイッチング部とケーブル接続される抵抗器Ｒの端子と、第１ブスバー７３との間に、スイッチング部が位置するように、中間部７１ａや第１側面部７１ｂ１が配置された状態で、接続切り替え部７０が抵抗ユニット（第１抵抗ユニット２１、第３抵抗ユニット２３、第５抵抗ユニット２５）に取り付けられる。
【０１２０】
第１ブスバー７３は、ｚ方向に延びる銅製の導電部材で、ｘ方向に延びる碍子５０を介して、一定間隔（第２距離ｄ２）を空けて本体部７１（の第１側面部７１ｂ１）に取り付けられ、試験対象電源からの電源線（Ｕ相線ＬＵ、Ｖ相線ＬＶ、Ｗ相線ＬＷ）の１つが接続される。
第１抵抗ユニット２１に取り付けられた接続切り替え部７０の第１ブスバー７３は、Ｕ相線ＬＵと接続される。Ｕ相線ＬＵは、真空遮断器４１を介して、試験対象電源のＲ相端子と接続される。
第３抵抗ユニット２３に取り付けられた接続切り替え部７０の第１ブスバー７３は、Ｖ相線ＬＶと接続される。Ｖ相線ＬＶは、真空遮断器４１を介して、試験対象電源のＳ相端子と接続される。
第５抵抗ユニット２５に取り付けられた接続切り替え部７０の第１ブスバー７３は、Ｗ相線ＬＷと接続される。Ｗ相線ＬＷは、真空遮断器４１を介して、試験対象電源のＴ相端子と接続される。
【０１２１】
取り付け金具７５は、ステンレス製で、断面がＬ字若しくはコの字形状で、ｘ方向に延び、本体部７１の背面（中間部７１ａ）からｙ方向に延びるように取り付けられた碍子５０と、抵抗ユニットの枠（第１枠２１ａ、第３枠２３ａ、第５枠２５ａ）の背面とを接続して、接続切り替え部７０を抵抗ユニット（第１抵抗ユニット２１、第３抵抗ユニット２３、第５抵抗ユニット２５）に取り付けする。
【０１２２】
第１スイッチング部ＳＷ１は、図１３に示すスイッチング部材８０と同じ構成を有し、一方の端子は、第１ブスバー７３とケーブル接続され、他方の端子は、上から１段目の抵抗器群（第１１抵抗器群Ｒ１１若しくは第３１抵抗器群Ｒ３１若しくは第５１抵抗器群Ｒ５１）の抵抗器Ｒとケーブル接続される。
第２スイッチング部ＳＷ２は、図１３に示すスイッチング部材８０と同じ構成を有し、一方の端子は、第１ブスバー７３とケーブル接続され、他方の端子は、上から２段目の抵抗器群（第１２抵抗器群Ｒ１２若しくは第３２抵抗器群Ｒ３２若しくは第５２抵抗器群Ｒ５２）の抵抗器Ｒとケーブル接続される。
第３スイッチング部ＳＷ３は、図１３に示すスイッチング部材８０と同じ構成を有し、一方の端子は、第１ブスバー７３とケーブル接続され、他方の端子は、上から３段目の抵抗器群（第１３抵抗器群Ｒ１３若しくは第３３抵抗器群Ｒ３３若しくは第５３抵抗器群Ｒ５３）の抵抗器Ｒとケーブル接続される。
第４スイッチング部ＳＷ４は、図１３に示すスイッチング部材８０と同じ構成を有し、一方の端子は、第１ブスバー７３とケーブル接続され、他方の端子は、上から４段目の抵抗器群（第１４抵抗器群Ｒ１４若しくは第３４抵抗器群Ｒ３４若しくは第５４抵抗器群Ｒ５４）の抵抗器Ｒとケーブル接続される。
第５スイッチング部ＳＷ５は、図１３に示すスイッチング部材８０と同じ構成を有し、一方の端子は、第１ブスバー７３とケーブル接続され、他方の端子は、上から５段目の抵抗器群（第１５抵抗器群Ｒ１５若しくは第３５抵抗器群Ｒ３５若しくは第５５抵抗器群Ｒ５５）の抵抗器Ｒとケーブル接続される。
第６スイッチング部ＳＷ６は、図１３に示すスイッチング部材８０と同じ構成を有し、一方の端子は、第１ブスバー７３とケーブル接続され、他方の端子は、上から６段目の抵抗器群（第１６抵抗器群Ｒ１６若しくは第３６抵抗器群Ｒ３６若しくは第５６抵抗器群Ｒ５６）の抵抗器Ｒとケーブル接続される。
第７スイッチング部ＳＷ７は、図１３に示すスイッチング部材８０と同じ構成を有し、一方の端子は、第１ブスバー７３とケーブル接続され、他方の端子は、上から７段目の抵抗器群（第１７抵抗器群Ｒ１７若しくは第３７抵抗器群Ｒ３７若しくは第５７抵抗器群Ｒ５７）の抵抗器Ｒとケーブル接続される。
第８スイッチング部ＳＷ８は、図１３に示すスイッチング部材８０と同じ構成を有し、一方の端子は、第１ブスバー７３とケーブル接続され、他方の端子は、上から８段目の抵抗器群（第１８抵抗器群Ｒ１８若しくは第３７抵抗器群Ｒ３８若しくは第５８抵抗器群Ｒ５８）の抵抗器Ｒとケーブル接続される。
【０１２３】
スイッチング部と第１ブスバー７３とのケーブル接続、及びスイッチング部と抵抗器Ｒのケーブル接続は、図１３に示すように、スイッチング部材８０に含まれる固定接点に取り付けられたケーブル（第１ブスバー７３と接続する第１ケーブル８２ａや、抵抗器と接続する第２ケーブル８２ｂ）を使って行う形態であってもよいし、固定接点に端子が設けられ、当該端子に接続されたケーブルを使って行う形態であってもよい。
【０１２４】
第１スイッチング部ＳＷ１〜第８スイッチング部ＳＷ８の制御信号線（スイッチング部材８０のリード線８６に相当）は、中間部７１ａ、第１側面部７１ｂ１、第２側面部７１ｂ２、カバー７１ｃで囲まれた領域を通って、電源接続部４０の制御装置４３に接続される。
スイッチング部（第１スイッチング部ＳＷ１〜第８スイッチング部ＳＷ８）、スイッチング部と抵抗器とを接続するケーブル、及びスイッチング部と第１ブスバー７３とを接続するケーブルは、中間部７１ａ、第１側面部７１ｂ１、第２側面部７１ｂ２、カバー７１ｃで囲まれた領域の外側に設けられる。
【０１２５】
制御信号線を構成するリード線８６は、プラスとマイナスの２本の線を含む。プラス線（第１スイッチング部ＳＷ１〜第８スイッチング部ＳＷ８に対応した８本の線）は、それぞれ、制御装置４３に接続される。マイナス線（第１スイッチング部ＳＷ１〜第８スイッチング部ＳＷ８に対応した８本の線）は、本体部７１の内側に碍子を介して設けられｚ方向に延びる銅製の導電部材で構成された第２ブスバー７７に接続される。第２ブスバー７７を介して１本のマイナス線が、制御装置４３に接続される。従って、本実施形態では、第１スイッチング部ＳＷ１〜第８スイッチング部ＳＷ８に対応した８本のプラス線と、１本のマイナス線が、制御信号線として、各接続切り替え部７０と制御装置４３との間に配線される。第２ブスバー７７は、接続切り替え部７０の内側が見える図１９や図２０に図示する。
【０１２６】
制御信号線（プラス線、マイナス線）と、スイッチング部との接続は、ケーブルが直接スイッチング部に接続される形態であってもよいが、着脱を容易にするため、各スイッチング部の近傍に設けられた第１コネクターＣ１を介して行われるのが望ましい。図１７では、第１スイッチング部ＳＷ１における制御端子８９に相当する部分が、第１コネクターＣ１を介して、制御信号線と接続される状態を示す（第２スイッチング部ＳＷ２〜第８スイッチング部ＳＷ８の第１コネクターＣ１の図示は省略）。
【０１２７】
また、図２２に示すように、複数の制御信号線（第１スイッチング部ＳＷ１〜第８スイッチング部ＳＷ８に対応する８本のプラス線と、マイナス線）が接続された第２コネクターＣ２が、接続切り替え部７０の外部に設けられ、第２コネクターＣ２が接続切り替え部７０（接続切り替え部７０の内部のケーブル）と接続されて、第１スイッチング部ＳＷ１〜第８スイッチング部ＳＷ８と接続される形態であってもよい。この場合には、接続切り替え部７０と制御信号線の配線も容易に行えるし、スイッチング部のいずれかが故障した場合に、接続切り替え部７０全体を容易に取り替えることも可能になる。
【０１２８】
電源接続部４０に設けられた操作部における負荷に関する操作状態に応じて、制御装置４３が、制御信号線を使って、第１抵抗ユニット２１や第３抵抗ユニット２３や第５抵抗ユニット２５に取り付けられた接続切り替え部７０のスイッチング装置（第１スイッチング部ＳＷ１〜第８スイッチング部ＳＷ８）のオンオフ制御を行い、これにより、負荷試験に用いる抵抗器群の切り替え制御が行われる。
【０１２９】
制御装置４３に制御リレー（第１スイッチング部ＳＷ１〜第８スイッチング部ＳＷ８に対応する８つの制御リレー）４３ａを設け、当該制御リレー４３ａを介して、制御装置４３がスイッチング装置（第１スイッチング部ＳＷ１〜第８スイッチング部ＳＷ８）のオンオフ制御を行うのが望ましい。
【０１３０】
この場合には、図１４や図１５に示すように、各スイッチング部からの制御信号線のプラス線（８本×３組の計２４本のプラス線）が、３本ずつのセットで、制御装置４３に設けられた８つの制御リレー４３ａに配線される。また、各接続切り替え部７０からの制御信号線のマイナス線（１本×３セットの計３本のマイナス線）は、それぞれ８つの制御リレー４３ａに分岐して接続される。分岐の際に、図示しない別のブスバーを制御装置４３近傍に設けて、８つの制御リレー４３ａへのマイナス線の接続を行う形態でもよい。
【０１３１】
このため、各抵抗ユニット（第１抵抗ユニット２１と第３抵抗ユニット２３と第５抵抗ユニット２５）における第ｎスイッチング部ＳＷｎ（ｎは１以上８以下）に接続された制御信号線を短絡して、８本のプラス線と１本のマイナス線を含む制御信号線だけを制御装置４３に接続させる形態（図２３、図２４参照）に比べて、制御装置４３の周囲の配線（後述する第８工程）は複雑になるが、スイッチング部の１つが故障した際に制御回路を保護し、他のスイッチング部への影響を少なくする（他のスイッチング部の破損を防止する）メリットがある。
【０１３２】
図１４や図１５に示す形態の場合でも、図２３や図２４に示す形態の場合でも、第１抵抗ユニット２１や第３抵抗ユニット２３や第５抵抗ユニット２５のそれぞれに取り付けられた接続切り替え部７０の第ｎスイッチング部ＳＷｎ（ｎは１以上８以下）は、同じタイミングでオンオフ制御される。
【０１３３】
例えば、第１抵抗ユニット２１に取り付けられた接続切り替え部７０の第１スイッチング部ＳＷ１がオン状態にされる時に、第３抵抗ユニット２３や第５抵抗ユニット２５に取り付けられた接続切り替え部７０の第１スイッチング部ＳＷ１もオン状態にされる。この場合、第１１抵抗器群Ｒ１１と第２１抵抗器群Ｒ２１に試験対象電源のＲ相からの電力が供給され、第３１抵抗器群Ｒ３１と第４１抵抗器群Ｒ４１に試験対象電源のＳ相からの電力が供給され、第５１抵抗器群Ｒ５１と第６１抵抗器群Ｒ６１に、試験対象電源のＴ相からの電力が供給される（図１８参照）。
【０１３４】
３つの抵抗ユニット（第２抵抗ユニット２２や第４抵抗ユニット２４や第６抵抗ユニット２６）の抵抗器群を接続させて中性点接続すること（第１工程）、ｘ方向に隣接する抵抗ユニットの抵抗器群同士（たとえば、第１抵抗ユニット２１の抵抗器群と第２抵抗ユニット２２の抵抗器群）を、接続ケーブル６０を介して接続すること（第２工程）、接続切り替え部７０を３つの抵抗ユニット（第１抵抗ユニット２１や第３抵抗ユニット２３や第５抵抗ユニット２５）に取り付けること（第３工程）、各スイッチング部と抵抗器群とをケーブル接続すること（第４工程）、Ｕ相線ＬＵを電源接続部４０と第１抵抗ユニット２１に取り付けた接続切り替え部７０の第１ブスバー７３の間に配線すること（第５工程）、Ｖ相線ＬＶを電源接続部４０と第３抵抗ユニット２３に取り付けた接続切り替え部７０の第１ブスバー７３の間に配線すること（第６工程）、Ｗ相線ＬＷを電源接続部４０と第５抵抗ユニット２５に取り付けた接続切り替え部７０の第１ブスバー７３の間に配線すること（第７工程）、及び各スイッチング部の制御信号線を、電源接続部４０と３つの接続切り替え部７０の間に配線すること（第８工程）することで、負荷試験機１の配線を完成させることが出来る。
【０１３５】
抵抗ユニット内の抵抗器Ｒの取り付け、接続切り替え部７０内のスイッチング部と第１ブスバー７３の間のケーブル接続は、負荷試験機１を設置する場所に運搬する前に予め完成させておくことが出来る。このため、土台部に取り付けられた抵抗ユニットを所定の場所に設置した後に、第１ブスバー７３やスイッチング部を含む接続切り替え部７０を使って、第１工程〜第８工程を含む作業を行って、効率よく負荷試験機１を構成する部材の配線を行うことが可能になる。
【０１３６】
特に、スイッチング部とケーブル接続される抵抗器Ｒの端子と、第１ブスバー７３との間に、スイッチング部が配置されるように、接続切り替え部７０が抵抗ユニットに取り付けられるため、短い接続部材（ケーブルなど）を使って、抵抗器群とスイッチング部、スイッチング部と第１ブスバー７３の接続を行うことが可能になる。
【０１３７】
なお、昇降機が、接続切り替え部７０を取り付けた抵抗ユニットと土台部を運び入れることが可能な大きさを有する場合、すなわち、土台部と接続切り替え部７０付きの抵抗ユニットと冷却ファンのセット１組の全体寸法（幅、高さ、奥行き）が、それぞれ昇降機の出入り口幅や高さや奥行きを下回る場合には、第３工程と第４工程についても、負荷試験機１を設置する場所に運搬する前に予め行っておく形態であってもよい。
【０１３８】
接続切り替え部７０を用いずに、各抵抗ユニットの抵抗器群と電源接続部４０とをケーブル接続し、電源接続部４０内に設けたスイッチング装置を使って、使用する抵抗器群の切り替え制御を行う形態に比べて、接続切り替え部７０を用いることで、抵抗ユニットと電源接続部４０との接続するケーブルの本数を少なくすることが出来る点でも、配線を簡素化出来るメリットがある。
【０１３９】
接続切り替え部７０に設けられた第１スイッチング部ＳＷ１〜第８スイッチング部ＳＷ８は、内部に不活性ガスが充填されて耐久性が高いスイッチング部材で構成された場合でも、頻繁なオンオフ操作により破損する可能性がある。本実施形態では、他の部材よりも破損する可能性が高いスイッチング部を接続切り替え部７０に設けるため、メンテナンスを容易に行える。
【０１４０】
また、接続切り替え部７０の中間部７１ａは、本体部７１の第１側面部７１ｂ１と抵抗ユニットの側面との間に位置し、当該中間部７１ａにスイッチング部が取り付けられるため、スイッチング部の交換や修理などのメンテナンスを行う空間を確保しやすい。
【０１４１】
また、接続切り替え部７０の本体部７１は、碍子５０や取り付け金具７５を介して、着脱可能な状態で抵抗ユニットに取り付けられるため、破損したスイッチング部を含む接続切り替え部７０を、新しい接続切り替え部７０と取り替えて、修理対応することも容易に行える。
【０１４２】
接続切り替え部７０は、抵抗ユニットの側部に取り付ける形態であってもよいが、抵抗ユニットとｙ方向に隣接する抵抗ユニットの間に、接続切り替え部７０を配置するスペースがあれば、抵抗ユニットの前部若しくは後部に接続切り替え部７０を取り付ける形態であってもよい（図１９参照）。
【０１４３】
本実施形態では、スイッチング部が取り付けられる第１面（中間部７１ａ）が抵抗ユニットの背面に平行で、第１ブスバー７３が取り付けられる第２面（第１側面部７１ｂ１）が抵抗ユニットの側面に平行な位置関係で、接続切り替え部７０が抵抗ユニットに取り付けられる形態を説明したが、スイッチング部とケーブル接続される抵抗器Ｒの端子と、第１ブスバー７３との間に、スイッチング部が配置される位置関係を維持した上で、第１面（中間部７１ａ）が抵抗ユニットの側面に平行で、第１ブスバー７３が取り付けられる第２面（第１側面部７１ｂ１）が抵抗ユニットの背面に平行な位置関係で、接続切り替え部７０が抵抗ユニットに取り付けられる形態であってもよい（図２０参照）。
【０１４４】
また、ｙ方向に延びる碍子５０と取り付け金具７５とを使って、接続切り替え部７０が抵抗ユニットに取り付けられる形態を説明したが、第２側面部７１ｂ２に設けられｘ方向に延びる碍子５０を使って、接続切り替え部７０が抵抗ユニットに取り付けられる形態であってもよい（図２１参照）。
【０１４５】
なお、本実施形態では、６つの抵抗ユニットを２セットずつ組み合わせた負荷試験機１を使って、接続切り替え部７０の構成を説明した。
ただし、接続切り替え部７０を用いる抵抗ユニットの構成は、６つの抵抗ユニットを２セットずつ組み合わせた負荷試験機に限定されるものではなく、抵抗ユニットと接続切り替え部７０を１セットずつ組み合わせた負荷試験機でも、本実施形態にかかる第１ブスバーやスイッチング部を含む接続切り替え部７０を使って、効率よく負荷試験機を構成する部材の配線を行うことができる。
【０１４６】
また、図１〜図２４で示す実施形態では、下面から吸気し上面に冷却風を送る冷却ファンの上方に抵抗ユニット（鉛直方向に開口する吸気口と排気口を有する抵抗ユニット）を配置し、下方から上方に冷却風を流す形態を説明したが、水平方向に風を排出する冷却ファンの前面に抵抗ユニット（水平方向に開口する吸気口と排気口を有する抵抗ユニット）が碍子５０を介して取り付けられ、後方から前方に冷却風を流す形態であってもよい（図２５参照）。
【０１４７】
図２５は、２つの土台部（第１土台部（第１冷却部）１１、第２土台部（第２冷却部）１２）の横に２つの抵抗ユニット（第１抵抗ユニット２１、第２抵抗ユニット２２）が配置された状態を示す（中性点接続を介して接続される他の抵抗ユニットの図示は省略）。
【０１４８】
図２５と図２６で示す実施形態では、第１土台部（第１冷却部）１１と第２土台部（第２冷却部）１２が並べられる水平方向をｘ方向、第１土台部１１、第１抵抗ユニット２１が並べられる水平方向をｙ方向、ｙ方向とｘ方向に垂直な鉛直方向をｚ方向として説明する。
【０１４９】
図２５や図２６で示す実施形態では、抵抗器Ｒが水平方向に延びる（ｘ方向に平行になる）ように配置される形態を説明するが、抵抗器Ｒが配置される方向は、鉛直方向に延びる（ｚ方向に平行になる）ように配置される形態であってもよい。
【０１５０】
抵抗ユニットを支えるために、碍子５０を抵抗ユニットと設置面との間に設けるのが望ましい。
【０１５１】
冷却ファンの吸気は、背面から行えるため、土台部（冷却部）の側面における吸気口は省略できる。
【０１５２】
抵抗ユニットと冷却ファンとを横向きに配置した場合は、横方向に熱風が排出されるため、横方向から上方向に排気方向を変えて、上方に熱風を排出するダクト（水平方向に開口する吸気口と、鉛直方向に開口する排気口を有し、上方に排気するダクト）を抵抗ユニットよりも送風流路の下流に設け、抵抗ユニットの排気口とダクトの吸気口とが対向するように、抵抗ユニットとダクトが、着脱可能な状態で接続されるのが望ましい（図２６参照）。
【０１５３】
図２６では、内部構造を示すために、ダクトを抵抗ユニットから離れた状態を示すが、実際の使用時（負荷試験時）は、熱風が漏れ出さないように、ダクトの吸気口と抵抗ユニットの排気口は近接した状態にされる。
【０１５４】
なお、抵抗ユニットのそれぞれは、ｘ方向に平行な抵抗器Ｒがｚ方向（鉛直方向）に並べられた抵抗器群がｙ方向（水平方向）に複数並べられる形態であってもよいし（図２５、図２６参照）、ｘ方向に平行な抵抗器Ｒがｙ方向（水平方向）に並べられた抵抗器群がｚ方向（鉛直方向）に複数並べられる形態であってもよい（図２７参照）。いずれの場合も、使用する抵抗器群の切り替えを行って、試験対象電源の負荷の条件を変えて、負荷試験画行われる。
【０１５５】
また、いずれの場合でも、抵抗ユニットの枠（抵抗ユニットの外形を形成し、吸気口や排気口を構成する前面と背面以外の面）であって、少なくとも隣接する抵抗ユニットと対向する位置関係にあるものは、土台部（冷却部）の側面（冷却部の外形を形成し、吸気口や排気口を構成する前面と背面以外の面）よりも第１距離ｄ１だけ内側に配置される。
【０１５６】
また、いずれの場合でも、抵抗ユニットには、スイッチング部とケーブル接続される抵抗器Ｒの端子と、第１ブスバー７３との間に、スイッチング部が配置される位置関係で、接続切り替え部７０が取り付けられる。
【０１５７】
また、いずれの場合でも、昇降機の内部スペースの関係で、土台部（冷却部）の上に抵抗ユニットが配置された状態（図２５〜図２７の状態のものを縦置きに変えた状態）で、運搬が行われることが考えられる。
【符号の説明】
【０１５８】
１  乾式負荷試験機
１１〜１９  第１土台部〜第９土台部
２０  間隔調整部材
２１〜２６  第１抵抗ユニット〜第６抵抗ユニット
２１ａ〜２６ａ  第１枠〜第６枠
３１〜３６  第１冷却ファン〜第６冷却ファン
３１ａ〜３６ａ  第１フード〜第６フード
４０  電源接続部
４１  真空遮断器
４３  制御装置
４３ａ  制御リレー
５０  碍子
６０  接続ケーブル
６１  短絡バー
７０  接続切り替え部
７１  本体部
７１ａ  中間部
７１ｂ１、７１ｂ２  第１側面部、第２側面部
７１ｃ  カバー
７１ｄ  蓋
７３  第１ブスバー
７５  取り付け金具
７７  第２ブスバー
８０  スイッチング部材
８１  固定接点
８１ａ、８１ｂ  第１端子、第２端子
８２ａ、８２ｂ  第１ケーブル、第２ケーブル
８３  可動接点
８５  駆動部材
８６  リード線
８７  ケース
８８  絶縁壁
８９  制御端子
９０  密閉容器（内部ケース）
Ｃ１、Ｃ２  第１コネクター、第２コネクター
ｄ１〜ｄ３  第１距離〜第３距離
ＳＷ１〜ＳＷ８  第１スイッチング部〜第８スイッチング部
【要約】
【課題】  複数の抵抗器が並べられた負荷試験機で、効率良く内部の配線が可能な負荷試験機を提供する。
【解決手段】  負荷試験機は、抵抗器が並べられた抵抗器群が、複数段並べられた抵抗ユニットと、本体部と、複数の抵抗器群について、負荷試験に用いる抵抗器群を制御するために用いられるスイッチング部と、スイッチング部の一方の端子や負荷試験の試験対象電源からの電源線の１つが接続される第１ブスバーとを有する接続切り替え部とを備え、抵抗器群における抵抗器の一つの端子の一方が、スイッチング部の他方の端子と接続され、本体部は、スイッチング部が取り付けられる第１面と、第１面と垂直で碍子を介して一定間隔を空けて第１ブスバーが取り付けられる第２面とを有し、スイッチング部とケーブル接続される抵抗器の端子と、第１ブスバーとの間に、スイッチング部が配置されるように、接続切り替え部は、着脱可能な状態で抵抗ユニットに取り付けられる。
【選択図】図１６【図１】
0005702039.tif 000002
【図２】
0005702039.tif 000003
【図３】
0005702039.tif 000004
【図４】
0005702039.tif 000005
【図５】
0005702039.tif 000006
【図６】
0005702039.tif 000007
【図７】
0005702039.tif 000008
【図８】
0005702039.tif 000009
【図９】
0005702039.tif 000010
【図１０】
0005702039.tif 000011
【図１１】
0005702039.tif 000012
【図１２】
0005702039.tif 000013
【図１３】
0005702039.tif 000014
【図１４】
0005702039.tif 000015
【図１５】
0005702039.tif 000016
【図１６】
0005702039.tif 000017
【図１７】
0005702039.tif 000018
【図１８】
0005702039.tif 000019
【図１９】
0005702039.tif 000020
【図２０】
0005702039.tif 000021
【図２１】
0005702039.tif 000022
【図２２】
0005702039.tif 000023
【図２３】
0005702039.tif 000024
【図２４】
0005702039.tif 000025
【図２５】
0005702039.tif 000026
【図２６】
0005702039.tif 000027
【図２７】
0005702039.tif 000028